(57)【要約】【課題】騒音や振動が少なくかつ短期間で良好かつ簡単に天井を施工できる。【解決手段】既存廻縁２０に野縁３０を平行に複数架け渡した後、野縁３０に対し、その長手方向に直交するように天井板４０が取り付けられると共に、野縁３０にスライド自在に取り付けられているさね固定金具３２により、隣接する天井板４０の長辺が互いに係合して取り付けられるので、既存天井１０の下方に新たな天井を構成することができる。【選択図】　図３
2004060280.tif 000002
【特許請求の範囲】
【請求項１】
既存天井の周囲に配設された壁面のうち、相対向する壁面間に野縁を複数架け渡し、その野縁に長尺状の天井板を、野縁の長手方向に直交させて取り付けて、既存天井の下方に複数の天井板からなる新たな天井を施工する方法であって、
前記野縁に、予め、天井板の長辺を支持するフック部を有するさね固定金具を長手方向に沿いスライド自在に取り付けておき、
前記野縁に前記天井板を取り付けたとき、一方の天井板の長辺を前記さね固定金具のフック部に支持させて固定した後、
その固定した天井板の長辺に、これと隣接する天井板の長辺を、前記フック部を挟み込んた状態で係合させて、隣接する天井板を互いに固定することを特徴とする天井の施工方法。
【請求項２】
請求項１記載の天井の施工方法において、
前記野縁は、予め、端部から中央部に至るに従い上方に延びる彎曲形状に形成されていることを特徴とする天井の施工方法。
【請求項３】
請求項１または２記載の天井の施工方法において、
前記さね固定金具は、前記野縁に一方の天井板の長辺を支持させるとき、前記野縁の所定位置に固定することを特徴とする天井の施工方法。
【請求項４】
請求項１から３記載の天井の施工方法において、
前記野縁は、野縁ジョイントにより同一直線上に互いに連結されると共に、既設天井に対する高さ位置を調整することを特徴とする天井の施工方法。
【発明の詳細な説明】
【０００１】
【発明の属する技術分野】
この発明は、野縁を利用して天井板を取り付ける天井の施工方法に係り、特に、既存天井を撤去せずにその下方に新たな天井を施工する場合に適用しても優れた施工性を確保できる天井の施工方法に関する。
【０００２】
【従来の技術】
近年、住宅等の建物にあっては長寿命化が求められるようになってきており、古くなった家屋に手を加えて新しくするハウスリフォームが注目を集めてきている。建物の内装のリフォームに関しては、例えば壁等は壁紙の張り替え等によって比較的簡単にリフォームできるものの、天井に関しては、既存天井を撤去して新たに天井を施工し直すことが一般的であった。
【０００３】
【発明が解決しようとする課題】
しかしながら、前述のように、既存天井を撤去するリフォームでは、工事に伴う騒音や振動の発生が避けられず、近隣の迷惑になるといった問題があった。特に、集合住宅の場合は騒音や振動の影響が大きいため、これが天井のリフォームの普及の妨げになっているといった問題があった。また、工事自体が大掛かりになる上、廃材処理が不可欠になるため、低コスト化が困難であるといった問題もあった。
【０００４】
この発明は、このような事情を考慮してなされたもので、その目的は、騒音や振動が少なく、かつ短期間で良好かつ簡単に天井を施工できる安価な天井の施工方法を提供することを目的とする。
【０００５】
【課題を解決するための手段】
上記目的を達成するために、この発明は以下の手段を提案している。
請求項１に係る発明は、既存天井の周囲に配設された壁面のうち、相対向する壁面間に野縁を複数架け渡し、その野縁に長尺状の天井板を、野縁の長手方向に直交させて取り付けて、既存天井の下方に複数の天井板からなる新たな天井を施工する方法であって、前記野縁に、予め、天井板の長辺を支持するフック部を有するさね固定金具を長手方向に沿いスライド自在に取り付けておき、前記野縁に前記天井板を取り付けたとき、一方の天井板の長辺を前記さね固定金具のフック部に支持させて固定した後、その固定した天井板の長辺に、これと隣接する天井板の長辺を、前記フック部を挟み込んた状態で係合させて、隣接する天井板を互いに固定することを特徴とする。
【０００６】
この発明に係る天井の施工方法によれば、既存天井の周囲に配設された壁面のうち、相対向する壁面間に野縁を複数架け渡し、その野縁に長尺状の天井板を、野縁の長手方向に直交させて取り付けて、既存天井の下方に複数の天井板からなる新たな天井を施工するので、新たな天井を、騒音や振動が少なくかつ短期間で簡単に施工することができる。
【０００７】
請求項２に係る発明は、請求項１記載の天井の施工方法において、前記野縁は、予め、端部から中央部に至るに従い上方に延びる彎曲形状に形成されていることを特徴とする。
【０００８】
この発明に係る天井の施工方法によれば、野縁が、端部から中央部に至るに従い上方に延びる彎曲形状のものを用いると、天井板の荷重による野縁の中央部分が垂れ下がるのを抑えることができ、天井板が下がるおそれがない。
このため、彎曲形状（むくみ形状）のものを用いると、下地を固定しなくても天井板を取り付けることが可能になり、騒音や振動の発生が少なくなり、例えば２．７ｍスパンの施工が可能となる。
【０００９】
請求項３に係る発明は、請求項１または２記載の天井の施工方法において、前記さね固定金具は、前記野縁に一方の天井板の長辺を支持させるとき、前記野縁の所定位置に固定することを特徴とする。
【００１０】
この発明に係る天井の施工方法によれば、一方の天井板を野縁に支持した時点でさね固定金具を野縁に固定すると、その天井板が動くことがなくなるので、これと隣接する天井板を互いに固定することができ、隣接する天井板を容易に固定することができる。
【００１１】
請求項４に係る発明は、請求項１から３記載の天井の施工方法において、前記野縁は、野縁ジョイントにより同一直線上に互いに連結されると共に、既設天井に対する高さ位置を調整することを特徴とする。
【００１２】
この発明に係る天井の施工方法によれば、野縁を連結できるばかりでなく、天井に対して野縁の高さ位置を調整できるので、天井幅が広い場合にも良好に対処でき、新たな天井を良好に施工することができる。
【００１３】
【発明の実施の形態】
以下、図面を参照し、この発明の実施の形態について説明する。図１から図４はこの発明の一実施の形態に係る天井の施工方法を示し、図１は天井を示す下面図、図２は天井板を取り付ける前の状態を示す下面図、図３は図１のＡ−Ａ線に相当する断面図、図４は図１のＢ−Ｂ線に相当する断面図、図５は野縁を示し外観斜視図、図６は廻縁ベースを示す説明図、図７は野縁ベースの三面図、図８はさね固定金具を示す三面図、図９は天井板を示す側面図である。
図１〜図４において、符号１は、この発明に係る天井の施工方法によって施工された天井を示す。この天井１は、既存天井１０の下方に複数の天井板４０を設けることで施工されており、野縁３０、フック部３１を有するさね固定金具３２などから構成されている。
【００１４】
野縁３０は、図５のように四角の筒に形成された長尺状で、端部から中央部に至るに従い上方に延びる彎曲形状に形成されており、図３及び図４に示すように、既存天井１０の周囲に配設されている壁面間に、野縁ベース３６によって平行に複数（例えば三本）架け渡されている。この場合、野縁３０の取り付けに際しては、予め、既存天井１０の壁面に設けられている既存廻縁２０の周囲に廻縁ベース３９をステープル等によって固定しておき、その廻縁ベース３９の相対向する上端部から既存廻縁２０までビス３８をねじ止めすることで野縁ベース３６を固定した後、野縁ベース３６の支持部３６ａを野縁３０の両端に挿入することで、野縁３０を既存天井１０の下面に架け渡す。
【００１５】
廻縁ベース３９は、施工すべき天井板４０を支持するためのものであって、図６に示すように、既存廻縁２０に突き当て固定するための固定板３９ａと、固定板３９ａに内側に突設された取付板３９ｂとを有し、図３に示すように、取付板３９ｂに天井板４０の一端をビス３７で取り付けるようになっている。図６において、３９ｃは廻縁カバーであり、天井板４０を取り付けた廻縁ベース３９に対し、下から挿入して装着されることでビス３７が見えないようにしている。
【００１６】
野縁ベース３６は、図７（ａ）〜（ｃ）に示すように、筒状に形成された支持部３６ａと、支持部３６ａの一端に一体的に設けられた突き当て板３６ｂと、突き当て板３６ｂの両側に設けられた挿通穴３６ｃとを有し、図３に示すように、廻縁ベース３９の相対向する固定板３９ａの上方から既存廻縁２０にビス３８を締め付けることで固定される。
【００１７】
従って、野縁３０は、その一端が既存廻縁２０に廻縁ベース３９を介して固定された野縁ベース３６に挿入されると共に、その他端が、相対向する位置で同様にして固定された野縁ベース３６に挿入されることで、既存天井１０の下方に図１及び図２のように複数架け渡される。
【００１８】
また、野縁３０には、その長さ方向に沿いさね固定金具３２がスライド自在に取り付けられている。このさね固定金具３２は、互いに隣接する天井板４０を支持させて固定するフック部３１を有している。具体的に説明すれば、さね固定金具３２は、野縁３０を挿通するできるよう、図８（ａ）〜（ｃ）に示すように四角の筒状体３２ａからなっており、その筒状体３２ａの底部に鉤形に曲げられたフック部３１が固定されている。筒状体３２ａの一方の側壁には開口させると共に、その開口部３２ｃを挟むように折り曲げ部３２ｂが対向して形成され、図３のように野縁３０を挿通した状態にあるとき、折り曲げ部３２ｂ間が開いていることでさね固定金具３２が野縁３０上でスライド自在となり、図４及び図８（ｃ）のように折り曲げ部３２ｂがビス３３によって締め付けられることで、野縁３０の所定位置に固定される。
【００１９】
フック部３１は、図８（ｃ）に示すように、筒状体３２ａの底部に突設されており、図３に示すように、天井板４０の上部に設けられた第１さね部材４１の雄実４２を係合することで、天井板４０を支持して固定すると共に、その天井板４０の第１さね部材４１と、これに隣接する天井板４０に設けられた第２さね部材４４とによって挟み込まれるようになっている。
【００２０】
第１さね部材４１、第２さね部材４４は、図９のように天井板４０の上部に設けられている。第１さね部材４１には外端の上部及び下部に雄実４２及び雌実４３が設けられ、第２さね部材４４には外端の上部及び下部に雌実４３及び雄実４２が設けられ、これらが互いに係合するようになっている。
このような第１さね部材４１、第２さね部材４４を有する天井板４０においては、例えば図１のように天井１を構成したとき、図３の左側に示すように天井１の最も外側に配置される天井板４０となる場合には、第１さね部材４１のみが設けられ、また図３の中央側に示すように互いに隣接する天井板４０となる場合には、前記双方のさね部材４１、４４が設けられる。
なお、天井板４０としては、準不燃石膏の表面が化粧紙で覆われたものを使用しているが、これに拘わらず他の材質であってもよい。
【００２１】
次に、この天井１の施工方法について説明する。
まず、図３及び図４に示すように、既存天井８の周囲に配設されている既存廻縁２０に廻縁ベース３９をステープル等によって固定し、次いで、相対向する既存廻縁２０に、廻縁ベース３９を介して野縁ベース３６を固定する。この場合、野縁ベース３６の固定には、ビス３８の先端を野縁ベース３６の突き当て板３６ｂから廻縁ベース３９を経て既存廻縁２０に締め付けることで行う。
【００２２】
その後、相対向する野縁ベース３６間に野縁３０を平行に複数架け渡す。即ち野縁３０の一端側を廻縁ベース３９の上方に入れ、その野縁３０の一端部に野縁ベース３６の支持部３６ａを挿入した後、その野縁ベース３６と対向する野縁ベース３６の支持部３６ａも野縁３０の他端部に挿入することで、図２に示すように、野縁３０が平行に複数架け渡される。
【００２３】
但し、この場合、野縁３０が予め、既存天井１０の大きさに応じた長さに切断され、また廻縁ベース３９が既存廻縁２０の周囲に固定されていることから、野縁３０の一端部を野縁ベース３６に挿入した後、その他端部を、対向する野縁ベース３６に挿入しようとすると、廻縁ベース３９と干渉してできない。そのため、野縁３０の他端部には野縁ベース３６を予め挿入しておくと共に、該野縁ベース３６の挿入した他端部を挿通できるようにするための切欠き（図示せず）を廻縁３９に設けておくことで、野縁３０の他端部を所定位置に取り付けることができる。
【００２４】
このようにして野縁３０が既存廻縁２０に複数架け渡された後、その野縁３０に複数の天井板４０を順次取り付ける。
この場合、まず、取り付けるべき一枚目の天井板４０の位置に合うよう野縁３０上でさね固定金具３２を移動して調節し、さね固定金具３２のフック部３１が図８（ｃ）に鎖線にて示すように、天井板４０に設けられている第１さね部材４１の雄実４２に係合させることで天井板４０の長辺を支持し、そのとき、さね固定金具３２の折り曲げ部３２ｂをビス３３で締め付け固定することで、野縁３０の所定位置に固定金具３２を固定しておく。そして、その状態で天井板４０を、図３及び図４に示すように廻縁ベース３９にビス３７によって締め付けることで、一枚目の天井板４０を固定する。
【００２５】
その後、二枚目の天井板４０を用意し、この天井板４０の長辺を、既に固定している一枚目の天井板４０の長辺に隣接させると、二枚目の天井板４０に設けられている第２さね部材４４が、一枚目の天井板４０の第１さね部材４１に対し、フック部３１を挟んで係合することで、隣接する天井板４０の長辺が互いに係合する。
【００２６】
即ち、フック部３１によって支持された一枚目の天井板４０の長辺に、次の天井板４０の一方の長辺を突き合わせると、該天井板４０の第２さね部材４４がフック部３１を挟み込んだ状態で一枚目の天井板４０の第１さね部材４１に係合するので、天井板４０の長辺を互いに連結させることができる。
【００２７】
また、このとき、二枚目の天井板４０に対しても野縁３０上でさね固定金具３２を移動し、さね固定金具３２のフック部３１を、二枚目の天井板４０に設けられている第１さね部材４１に係合することで、二枚目の天井板４０の他方の長辺を支持させる。
以下、上記作業を同様にして繰り返すことで既存天井１０の下方に、複数の天井板４０によって形成された新たな天井１が施工されることとなる。
【００２８】
このように、既存廻縁２０に野縁３０を複数架け渡した後、野縁３０に対し、その長手方向に天井板４０の長手方向が直交するよう天井板４０が取り付けられると共に、野縁３０にスライド自在に取り付けられているさね固定金具３２により、隣接する天井板４０の長辺が互いに係合して取り付けられるので、既存天井１０の下方に新たな天井１を良好に構成することができる。
【００２９】
従って、この天井１の施工方法によれば、既存天井１０の撤去の必要がなく、また、既存廻縁２０に対し廻縁ベース３９及び野縁３０を固定するだけであるので、新規の天井１の施工自体が騒音や振動等を発生する作業が殆ど存在しないため、施工に伴う騒音や振動の発生を極めて少なく抑えることができ、近隣の家屋に対する影響が少ない。また、既存天井１０の撤去に伴う廃材の処理等も不要であるから、廃材処理に伴うコストが全くかからない。更に、建物自体に影響するような工事を必要としないから重機等を用いることが不要であり、作業者の人手で簡単に低コストすることができる。
【００３０】
そして、この天井１の施工方法は、野縁３０として図５のような彎曲形状のものを用い、その上面が既存天井１０の下面に略接するように配置されるので、野縁３０の両端を固定する前（若しくは固定した後）に、彎曲形状の野縁３０を略真直ぐに矯正するようにすれば、天井板４０の荷重による野縁３０の中央部分が垂れ下がるのを抑えることができて好ましい。特に、経年劣化等による垂れ下がりを抑えることができるので、施工上の品質及び信頼性を高めることもできる。
また、彎曲形状のものを用いると、下地を固定しなくても天井板を取り付けることが可能になり、騒音や振動の発生が少なくなり、例えば２．７ｍスパンの施工が可能となる。
【００３１】
図１０〜図１３は、この発明の第２の実施の形態に係る施工方法を示している。
この実施形態において、幅方向に長さを有する既存天井１０で、かつ既存廻縁２０に対して高さを有する既存天井１０に施工する場合に適用したものであって、前述した第１の実施形態と異なるのは、野縁３０を長手方向に連結するための野縁ジョイント５１（図１０の斜線部分）を用いた点にある。
【００３２】
野縁ジョイント５１は、金属製からなっており、例えば図１３に示すように、固定板５１ａと、固定板５１ａにこれと直交して取り付けられると共に、外形が野縁３０と同寸法に形成された筒状の連結部５１ｂと、連結部５１ｂの両側にその長さ方向に沿って延在し、かつ野縁３０に挿入し得る大きさの筒状からなる延在部５１ｃ、５１ｄとを有している。また、野縁ジョイント５１は、野縁３０と同様、上面が既存天井１０側となるよう、長さ方向に沿い全体的に撓んで彎曲形状に形成されている。
【００３３】
この野縁ジョイント５１は、図１１に示すように、一方の延在部５１ｃに野縁３０の一端を挿入すると共に、他方の延在部５１ｄに、別の野縁３０他端を挿入しておき、その状態で図１１及び図１２のように、固定板５１ａを既存天井１０に高さ調整ねじ５２で締め付けられることで、野縁３０が下方に撓むのを防げるようにしている。
【００３４】
従って、施工時には、野縁ジョイント５１のそれぞれの連結部１６ｃ、５１ｄに二本の野縁３０を挿入することで、野縁３０を幅方向に長く施工することができ、しかも、既存天井１０に対し高さ調整ねじ５２によって野縁ジョイント５１の高さを調整できるのに加え、端部より中央部が上方に延びる彎曲形状に形成されているので、同一直線上に配置される野縁３０の長さが長くとも、中央部が撓むのを防止できる。そのため、天井板４０の荷重で野縁３０が下方に撓むことがないので、それだけ信頼性を高めることができ、美観が損なわれるおそれもない。
なお、野縁ジョイント５１を用いて野縁３０を固定した後、前述の実施形態と同様の手順で天井板４０を施工するのは同様であるので、その説明を省略する。
また、図１０〜図１３おいて、図１〜図９と同一部分には同一符号を付している。
【００３５】
図１４から図１６は、この発明の第３の実施形態に係る施工方法を示している。この実施形態では、既存天井１０が広い場合であって、それに施工すべき天井板４０の長さが短い場合等に適用したものである。
【００３６】
例えば、既存天井１０の下方に、図１４のように第１〜第３からなる三本の野縁３０Ａ〜３０Ｃを固定したとき、その中央である第２の野縁３０Ｂの下面に見切縁５３を固定しておく。見切縁５３は、図１６に示すように、コ字状をなす本体５３ａの開口部５３ｂに側方に延在する腕５３ｃが設けられると共に、その開口部５３ｂを塞ぐカバー５３ｄが、矢印のように開閉可能に設けられている。
【００３７】
この見切縁５３は、第２の野縁３０Ｂの下面にその長さ方向に沿いビス５４によって固定され、図１５に示すように、両側の腕５３ｃに対し、長手方向に隣り合う天井板４０の一端を載置させるようになっている。従って、第２の野縁３０Ｂには、見切縁５３を固定するので、さね固定金具３２が取り付けられていない。
また、本例では、既存廻縁２０の高さが低く、所定の高さを確保することができないので、既存廻縁２０の下端に補助廻縁２１を予め固定し、この補助廻縁２１及び既存廻縁２０により天井１を施工するための壁面が構成されている。
【００３８】
このような実施形態においては、施行時には、既存廻縁２０に廻縁ベース３９を介して第１〜第３の野縁３０Ａ〜３０Ｃを固定すると、次いで、第２の野縁３０Ｂに見切縁５３を固定した後、廻縁ベース３９に一端を固定した天井板４０の他端を見切縁５３の一方の腕５３ｃに載置し、また他方の腕５３ｃにその天井板４０と隣り合う天井板４０の一端を載置して、該天井板４０の他端を廻縁ベース３９に固定することで、天井板４０を長手方向に沿って施工することができる。
また、見切縁５３は、隣り合う天井板４０の間が外側（室内）から見えるが、カバー５３ｄを閉じることで開口部５３ｂが塞がれるので、ビス５４が見えることがなくなり、外観を損なうこともない。
【００３９】
なお、この発明は、以上説明した実施の形態に限定されるものではなく、種々の変形又は変更が可能であり、これらもこの発明の範囲内である。例えば、この発明は、既存天井１０を残したまま新たな天井１を施工するようなハウスリフォームを例に挙げて説明したが、新築時に天井を施工する場合についてもこの発明を適用することができる。
【００４０】
【発明の効果】
以上説明したように、請求項１に係る発明によれば、既存天井の周囲に配設された壁面のうち、相対向する壁面間に野縁を複数架け渡し、その野縁に長尺状の天井板を、野縁の長手方向に直交させて取り付けて、既存天井の下方に複数の天井板からなる新たな天井を施工するように構成したので、既存天井の撤去の必要がなく、施工に伴う騒音や振動の発生を極めて少なく抑え、近隣の家屋に対する影響が少なく、廃材の処理等も不要である結果、新たな天井を短期間で良好かつ簡単で低コストで実現できる効果が得られる。
【００４１】
請求項２に係る発明によれば、天井板の荷重による野縁の中央部分が垂れ下がるのを抑えることができ、天井板が下がるおそれがない効果が得られる。
【００４２】
請求項３に係る発明によれば、一方の天井板を野縁に支持した時点でさね固定金具を野縁に固定すると、その天井板が動くことがなくなり、これと隣接する天井板を互いに固定することができ、隣接する天井板を容易に固定することができる効果が得られる。
【００４３】
請求項４に係る発明によれば、野縁を連結できるばかりでなく、天井に対して野縁の高さ位置を調整できるので、天井幅が広い場合にも良好に対処でき、新たな天井を良好に施工することができる効果が得られる。
【図面の簡単な説明】
【図１】この発明の第１の実施の形態に係る天井の施工方法によって得られた天井を示す下面図である。
【図２】この発明の第１の実施の形態に係る天井の施工方法において、天井板を取り付ける前の状態を示す下面図である。
【図３】図１のＡ−Ａ線に相当する一部省略の断面図である。
【図４】図１のＢ−Ｂ線に相当する一部省略の断面図である。
【図５】野縁を示す外観斜視図である。
【図６】廻縁ベースを示す説明図で、（ａ）は側面図及び（ｂ）は正面図である。
【図７】野縁ベースの三面図であって、（ａ）は平面図、（ｂ）は正面図、（ｃ）は右側面図である。
【図８】さね固定金具の三面図であって、（ａ）は平面図、（ｂ）は正面図、（ｃ）は右側面図である。
【図９】天井板を示す側面図である。
【図１０】この発明の第２の実施形態に係る天井の施工方法によって得られた天井を示す下面図である。
【図１１】図１０のＣ−Ｃ線に相当する一部省略の断面図である。
【図１２】図１０のＤ−Ｄ線に相当する一部省略の断面図である。
【図１３】野縁ジョイントを示し、（ａ）は平面図、（ｂ）は正面図、（ｃ）は（ａ）の　Ｅ−Ｅ線及びＦ−Ｆ線共通の断面図である。
【図１４】この発明の第３の実施の形態に係る天井の施工方法によって得られた天井を示す下面図である。
【図１５】図１４のＧ−Ｇ線に相当する一部省略の断面である。
【図１６】見切縁を示す説明図である。
【符号の説明】
１　　天井
１０　　既存天井
２０　　既存廻縁
３０、３０Ａ〜３０Ｃ　　野縁
３１　　フック部
３２　　さね固定金具
４１　　第１さね部材
４４　　第２さね部材
５１　　野縁ジョイント
【図１】
2004060280.tif 000003
【図２】
2004060280.tif 000004
【図３】
2004060280.tif 000005
【図４】
2004060280.tif 000006
【図５】
2004060280.tif 000007
【図６】
2004060280.tif 000008
【図７】
2004060280.tif 000009
【図８】
2004060280.tif 000010
【図９】
2004060280.tif 000011
【図１０】
2004060280.tif 000012
【図１１】
2004060280.tif 000013
【図１２】
2004060280.tif 000014
【図１３】
2004060280.tif 000015
【図１４】
2004060280.tif 000016
【図１５】
2004060280.tif 000017
【図１６】
2004060280.tif 000018